(57)【要約】【課題】十分に精度よく誤引き込みを行ったか否かを判定することができる同期判定システム、通信システム、および同期判定方法を提供する。【解決手段】同期判定部１１が、入力信号が復調回路２０によって復調された復調信号と基準信号とが同期しているか否かを判定する。位相差検出部１２が、同期判定部１１が、復調信号と基準信号とが同期していると判定した場合に、入力信号に基づく供試信号と基準信号との位相差を検出する。リセット部１３が、位相差検出部１２が検出した位相差に基づいて、復調回路２０にリセット信号を入力してリセットさせる。【選択図】      図１１
2016149603.tif 000002
【特許請求の範囲】
【請求項１】
入力信号が復調回路によって復調された復調信号と基準信号とが同期しているか否かを判定する同期判定手段と、
前記同期判定手段が、前記復調信号と前記基準信号とが同期していると判定した場合に、前記入力信号に基づく供試信号と前記基準信号との位相差を検出する位相差検出手段と、
前記位相差検出手段が検出した位相差に基づいて、前記復調回路にリセット信号を入力してリセットさせるリセット手段とを備えた
ことを特徴とする同期判定システム。
【請求項２】
前記リセット手段は、前記位相差検出手段が検出した位相差が所定の値以上である場合に、前記復調回路に前記リセット信号を入力する
請求項１に記載の同期判定システム。
【請求項３】
前記位相差検出手段には、前記復調回路に含まれる複数の回路から前記供試信号がそれぞれ入力され、
前記リセット手段は、前記供試信号と前記基準信号との位相差が、前記供試信号の入力元の前記複数の回路のそれぞれに応じて予め設定された前記所定の値以上である場合に、前記復調回路に前記リセット信号を入力する
請求項２に記載の同期判定システム。
【請求項４】
前記リセット手段は、前記同期判定手段が、前記復調信号と前記基準信号とが同期していないと判定した場合に、前記復調回路に前記リセット信号を入力する
請求項１から請求項３のうちいずれかに記載の同期判定システム。
【請求項５】
前記リセット手段が所定回数以上前記リセット信号を出力した場合に、前記復調回路に異常が生じていることを示す機器故障信号を出力する故障信号出力手段を含む
請求項１から請求項４のうちいずれかに記載の同期判定システム。
【請求項６】
請求項１から請求項５のうちいずれかに記載の同期判定システムと、
前記復調回路とを含む
ことを特徴とする通信システム。
【請求項７】
入力信号が復調回路によって復調された復調信号と基準信号とが同期しているか否かを判定する同期判定ステップと、
前記同期判定ステップで、前記復調信号と前記基準信号とが同期していると判定した場合に、前記入力信号に基づく供試信号と前記基準信号との位相差を検出する位相差検出ステップと、
前記位相差検出ステップで検出した位相差に基づいて、前記復調回路にリセット信号を入力してリセットさせるリセットステップとを含む
ことを特徴とする同期判定方法。
【発明の詳細な説明】
【技術分野】
【０００１】
本発明は、デジタル無線通信システムにおいて入力信号と基準信号とが同期されているか否かを判定する同期判定システム、通信システム、および同期判定方法に関する。
【背景技術】
【０００２】
マイクロ波デジタル無線通信システムにおける受信モジュールに搭載される復調回路がある。そのような復調回路は、基準信号に対する入力信号の位相に誤差が生じた場合に、当該入力信号を基準信号に同期させる引き込みという処理を行う。
【０００３】
特許文献１〜３には、そのような復調回路において、入力信号を基準信号における誤ったタイミングに同期させる誤引き込みを検出する技術が記載されている。
【０００４】
特許文献１，２に記載されている技術は、誤引き込みを行ったか否かの判定に、入力信号の値を用いている。具体的には、特許文献１，２に記載されている技術は、入力信号を位相平面上にマッピングした位置が所定の領域内である場合に誤引き込みを行ったと判定する。また、特許文献３に記載されている技術は、基準信号との位相の誤差の値が、過去にフレーム非同期状態になったときの位相の誤差の値と合致した場合に、誤引き込みを行ったと判定する。
【先行技術文献】
【特許文献】
【０００５】
【特許文献１】特開２００６−１５７１８６号公報
【特許文献２】特開２００８−１１８４７１号公報
【特許文献３】特開２００９−１６４８７７号公報
【発明の概要】
【発明が解決しようとする課題】
【０００６】
しかし、特許文献１，２に記載されている技術は、入力信号をマッピングした位置が所定の領域外である場合に、誤引き込みが行われたときであっても、誤引き込みを行ったと判定することができない。特に、想定外の事象が起こると、入力信号をマッピングした位置が所定の領域外である場合にも誤引き込みが起こり得るのであるが、特許文献１，２に記載されている技術は、そのような場合に誤引き込みを行ったと判定することができない。
【０００７】
特許文献３に記載されている技術は、基準信号との位相の誤差の値で過去にフレーム非同期状態になっていない場合に、誤引き込みを行ったと判定することができない。
【０００８】
したがって、特許文献１〜３に記載されている技術では、誤引き込みを行ったか否かを十分に精度よく判定することができないという問題がある。
【０００９】
そこで、本発明は、十分に精度よく誤引き込みを行ったか否かを判定することができる同期判定システム、通信システム、および同期判定方法を提供することを目的とする。
【課題を解決するための手段】
【００１０】
本発明による同期判定システムは、入力信号が復調回路によって復調された復調信号と基準信号とが同期しているか否かを判定する同期判定手段と、同期判定手段が、復調信号と基準信号とが同期していると判定した場合に、入力信号に基づく供試信号と基準信号との位相差を検出する位相差検出手段と、位相差検出手段が検出した位相差に基づいて、復調回路にリセット信号を入力してリセットさせるリセット手段とを備えたことを特徴とする。
【００１１】
本発明による通信システムは、いずれかの態様の同期判定システムと、復調回路とを含むことを特徴とする。
【００１２】
本発明による同期判定方法は、入力信号が復調回路によって復調された復調信号と基準信号とが同期しているか否かを判定する同期判定ステップと、同期判定ステップで、復調信号と基準信号とが同期していると判定した場合に、入力信号に基づく供試信号と基準信号との位相差を検出する位相差検出ステップと、位相差検出ステップで検出した位相差に基づいて、復調回路にリセット信号を入力してリセットさせるリセットステップとを含むことを特徴とする。
【発明の効果】
【００１３】
本発明によれば、十分に精度よく誤引き込みを行ったか否かを判定することができる。
【図面の簡単な説明】
【００１４】
【図１】本発明の第１の実施形態の判定システムの構成例を示すブロック図である。
【図２】直交復調器に入力された信号の例を示す説明図である。
【図３】Ａ−Ｄ変換器に入力されるベースバンドの信号の例を示す説明図である。
【図４】第１調整回路に入力される信号のＩｃｈ信号成分およびＱｃｈ信号成分を示す信号点配置図である。
【図５】搬送波再生回路および誤引き込み判定回路に入力される信号のＩｃｈ信号成分およびＱｃｈ信号成分を示す信号点配置図である。
【図６】第２調整回路に入力される信号のＩｃｈ信号成分およびＱｃｈ信号成分を示す信号点配置図である。
【図７】等化器および誤引き込み判定回路に入力される信号のＩｃｈ信号成分およびＱｃｈ信号成分を示す信号点配置図である。
【図８】等化器が外部に出力およびフレーム同期回路に入力する信号のＩｃｈ信号およびＱｃｈ信号成分を示す信号点配置図である。
【図９】等化器が入力した信号のうち、フレーム同期判定用の信号を示す説明図である。
【図１０】本発明の第１の実施形態の判定システムの動作を示すフローチャートである。
【図１１】本発明の第２の実施形態の同期判定システムの構成例を示すブロック図である。
【発明を実施するための形態】
【００１５】
実施形態１．
本発明の第１の実施形態の判定システム１００について、図面を参照して説明する。図１は、本発明の第１の実施形態の判定システム１００の構成例を示すブロック図である。図１に示すように、本発明の第１の実施形態の判定システム１００は、復調回路２００に接続され、フレーム同期回路１１０、誤引き込み判定回路１２０、およびリセット信号生成回路１３０を含む。
【００１６】
まず、本発明の第１の実施形態の判定システム１００が接続された復調回路２００について説明する。図１に示すように、復調回路２００は、直交復調器２１０、発振器２２０、アナログ−デジタル（Ａ−Ｄ：Ａｎａｌｏｇ  ｔｏ  Ｄｉｇｉｔａｌ）変換器２３０、第１調整回路２４０、搬送波再生回路２５０、第２調整回路２６０、および等化器２７０を含む。
【００１７】
発振器２２０は、直交復調器２１０に入力された信号の送信に用いられた搬送波を再生するための発振器信号を出力する。図２は、直交復調器２１０に入力された信号の例を示す説明図である。図２に示すように、直交復調器２１０に入力された信号は、中間周波数ｆｃを中心とする所定の範囲内の周波数の信号である。そして、図２には、直交復調器２１０に入力された信号の包絡線の範囲が斜線で例示されている。なお、発振器信号は、送信側の変調回路が搬送波を出力するための発振器が発信した出力信号の周波数に近い周波数の信号である。
【００１８】
直交復調器２１０は、復調回路２００に入力された中間周波数の変調波信号を、互いに直交するベースバンドの信号に変換してＡ−Ｄ変換器２３０に入力する。図１に示す例では、ベースバンドの信号において、Ｉｃｈ信号成分３０１とＱｃｈ信号成分３０２とがＡ−Ｄ変換器２３０に入力されている。図３は、Ａ−Ｄ変換器２３０に入力されるベースバンドの信号の例を示す説明図である。図３には、搬送波の周波数から十分に低い周波数帯であるベースバンドの信号の包絡線の範囲が斜線で例示されている。
【００１９】
Ａ−Ｄ変換器２３０は、デジタル信号で以降の処理を行うために、アナログ信号であるベースバンドの信号をデジタル信号に変換する。そして、Ａ−Ｄ変換器２３０は、第１調整回路２４０に変換後の信号を入力する。図１に示す例では、当該信号のＩｃｈ信号成分３０３およびＱｃｈ信号成分３０４が第１調整回路２４０に入力されることが示されている。図４は、第１調整回路２４０に入力される信号のＩｃｈ信号成分３０３およびＱｃｈ信号成分３０４を示す信号点配置図である。第１調整回路２４０に入力される信号は、搬送波と同期していない。したがって、Ｉｃｈ信号成分３０３およびＱｃｈ信号成分３０４は、図４に示す信号点配置図における円周上のいずれかの位置に示される。よって、図４には、Ｉｃｈ信号成分３０３およびＱｃｈ信号成分３０４が配置され得る位置が円周状に示されている。また、第１調整回路２４０に入力される信号は、レベルおよび直流成分の調整が行われていないので、図４に示す例では、円の中心はＩ軸とＱ軸との交点ではない。
【００２０】
第１調整回路２４０は、Ａ−Ｄ変換器２３０が入力した信号のレベルおよび直流成分を、搬送波再生回路２５０の処理能力に応じて調整する。そして、第１調整回路２４０は、搬送波再生回路２５０および誤引き込み判定回路１２０に調整後の信号を入力する。図１に示す例では、当該信号のＩｃｈ信号成分３０５およびＱｃｈ信号成分３０６が搬送波再生回路２５０および誤引き込み判定回路１２０に入力されることが示されている。図５は、搬送波再生回路２５０および誤引き込み判定回路１２０に入力される信号のＩｃｈ信号成分３０５およびＱｃｈ信号成分３０６を示す信号点配置図である。搬送波再生回路２５０および誤引き込み判定回路１２０に入力される信号は、第１調整回路２４０によってレベルおよび直流成分の調整が行われている。したがって、図５に示す例では、Ｉｃｈ信号成分３０５およびＱｃｈ信号成分３０６が円周に位置しうる円の中心はＩ軸とＱ軸との交点である。
【００２１】
搬送波再生回路２５０は、第１調整回路２４０が入力した信号に基づいて復調回路２００に入力された信号の送信に用いられた搬送波を再生する。搬送波の再生には既知の方法が用いられる。そして、搬送波再生回路２５０は、再生した搬送波に基づいて、第１調整回路２４０が入力した信号を検波し、第２調整回路２６０に検波結果の信号を入力する。図６は、第２調整回路２６０に入力される信号のＩｃｈ信号成分３０７およびＱｃｈ信号成分３０８を示す信号点配置図である。
【００２２】
第２調整回路２６０は、搬送波再生回路２５０が入力した信号のレベルおよび直流成分を、変調して他装置に送信するために調整する。そして、第２調整回路２６０は、等化器２７０および誤引き込み判定回路１２０に、調整後の信号を入力する。図７は、等化器２７０および誤引き込み判定回路１２０に入力される信号のＩｃｈ信号成分３０９およびＱｃｈ信号成分３１０を示す信号点配置図である。Ｉｃｈ信号成分３０９およびＱｃｈ信号成分３１０は、第２調整回路２６０によってレベルおよび直流成分の調整が行われたので、図７に示す例では、各点は、Ｉ軸およびＱ軸の交点との間の距離が調整された位置に配置されて示されている。
【００２３】
等化器２７０は、第２調整回路２６０が入力した信号を送信するために周波数特性や位相特性を調整する。そして、等化器２７０は、調整後の信号を、外部に出力するとともにフレーム同期回路１１０に入力する。図８は、等化器２７０が外部に出力およびフレーム同期回路１１０に入力する信号のＩｃｈ信号３１１およびＱｃｈ信号成分３１２を示す信号点配置図である。なお、図８において、Ｉｃｈ信号成分３１１およびＱｃｈ信号成分３１２に応じた位置は白丸（○）で示され、Ｉｃｈ信号成分３０９およびＱｃｈ信号成分３１０に応じた位置は黒丸（●）で示されている。Ｉｃｈ信号成分３１１およびＱｃｈ信号成分３１２は、等化器２７０によって周波数特性や位相特性の調整が行われている。したがって、図８に示す例におけるＩｃｈ信号成分３１１およびＱｃｈ信号成分３１２に応じた各点とＱ軸およびＩ軸との位置関係は、Ｉｃｈ信号成分３０９およびＱｃｈ信号成分３１０に応じた位置から、Ｑ軸とＩ軸との交点を中心に回転されて示されている。
【００２４】
本発明の第１の実施形態の判定システム１００の構成について説明する。フレーム同期回路１１０には、直交復調器２１０に入力された信号の送信側の変調回路が搬送波を出力するための発振器が発信した出力信号の周波数に近い周波数の信号を入力する発振器（図示せず）が接続されている。そして、フレーム同期回路１１０は、当該発振器が入力した基準信号と、等化器２７０が入力した信号とが同期しているか否かを判断する。具体的には、フレーム同期回路１１０は、例えば、入力された基準信号に基づく所定の期間内に、等化器２７０がフレーム同期判定用の信号を入力したか否かを判定する。図９は、等化器２７０が入力した信号のうち、フレーム同期判定用の信号を示す説明図である。フレーム同期判定用の信号は、図９において斜線で示されている。図９に示すように、等化器２７０が入力した信号によって構成されるフレーム（サブフレームであってもよい）において、フレーム同期判定用の信号が含まれる区間Ａは、オーバーヘッド部に含まれている。なお、本例では、区間Ａは、フレーム同期判定用に、ＱＰＳＫ（Ｑｕａｄｒａｔｕｒｅ  Ｐｈａｓｅ  Ｓｈｉｆｔ  Ｋｅｙｉｎｇ）で変調されているとする。
【００２５】
フレーム同期回路１１０は、フレーム同期判定用の信号が入力されたタイミングが所定の期間内でない場合に、フレーム同期していないと判断して、リセット信号生成回路１３０にフレーム同期していないことを示すフレーム非同期信号を入力する。また、フレーム同期回路１１０は、フレーム同期判定用の信号が入力されたタイミングが所定の期間内である場合に、フレーム同期していると判断して、等化器２７０が入力した信号によって構成されるフレームを基準信号に基づく所定のタイミングに同期させる。そして、フレーム同期回路１１０は、誤引き込み判定回路１２０に誤引き込み判定用信号を入力する。誤引き込み判定用信号は、例えば、図９に示すように、前述したフレーム同期判定用の信号に応じたタイミングで誤引き込み判定回路１２０に入力される信号であり、ＱＰＳＫで変調された信号が用いられる。
【００２６】
誤引き込み判定回路１２０は、フレーム同期回路１１０が入力した誤引き込み判定用信号と、第１調整回路２４０が入力したＩｃｈ信号成分３０５およびＱｃｈ信号成分３０６を含む信号との差分を検出する。具体的には、例えば、誤引き込み判定用信号のＩｃｈ信号成分とＩｃｈ信号成分３０５との差分、および誤引き込み判定用信号のＱｃｈ信号成分とＱｃｈ信号成分３０６との差分をそれぞれ検出する。
【００２７】
また、誤引き込み判定回路１２０は、フレーム同期回路１１０が入力した誤引き込み判定用信号と、第２調整回路２６０が入力したＩｃｈ信号成分３０９およびＱｃｈ信号成分３１０を含む信号との差分を検出する。具体的には、例えば、誤引き込み判定用信号のＩｃｈ信号成分とＩｃｈ信号成分３０９との差分、および誤引き込み判定用信号のＱｃｈ信号成分とＱｃｈ信号成分３１０との差分をそれぞれ検出する。
【００２８】
そして、誤引き込み判定回路１２０は、検出した差分のうち少なくともいずれか１つが所定の閾値以上である場合に、リセット生成回路１３０に、誤引き込みが発生したこと示す誤引き込み判定結果信号を入力する。また、誤引き込み判定回路１２０は、リセット信号生成回路１３０から後述するリセット信号を所定の時間以内に所定の回数以上入力された場合に、機器故障信号を出力する。なお、第１調整回路２４０が誤引き込み判定回路１２０に入力する信号、および第２調整回路２６０が誤引き込み判定回路１２０に入力する信号を供試信号と総称することがある。
【００２９】
リセット信号生成回路１３０は、フレーム同期回路１１０によってフレーム非同期信号が入力された場合、または誤引き込み判定回路１２０によって誤引き込み判定結果信号が入力された場合に、以下の処理を行う。すなわち、リセット信号生成回路１３０は、第１調整回路２４０、搬送波再生回路２５０、第２調整回路２６０、等化器２７０、および誤引き込み判定回路１２０に、入力先の回路をリセットさせるためのリセット信号を入力する。そして、第１調整回路２４０、搬送波再生回路２５０、第２調整回路２６０、および等化器２７０の設定をリセットさせる。
【００３０】
次に、本発明の第１の実施形態の判定システム１００の動作について説明する。図１０は、本発明の第１の実施形態の判定システム１００の動作を示すフローチャートである。図１０に示すように、本発明の第１の実施形態の判定システム１００において、フレーム同期回路１１０が、発振器が入力した基準信号と、等化器２７０が入力した信号とが同期しているか否かを判断する（ステップＳ１０１）。
【００３１】
フレーム同期回路１１０は、基準信号と、等化器２７０が入力した信号とが同期していないと判断した場合に（ステップＳ１０１のＮ）、リセット信号生成回路１３０にフレーム非同期信号を入力する（ステップＳ１０２）。そして、ステップＳ１０７の処理に移行する。
【００３２】
また、フレーム同期回路１１０は、基準信号と、等化器２７０が入力した信号とが同期していると判断した場合に（ステップＳ１０１のＹ）、誤引き込み判定回路１２０に誤引き込み判定用信号を入力する（ステップＳ１０３）。
【００３３】
誤引き込み判定回路１２０は、フレーム同期回路１１０が入力した誤引き込み判定用信号と、第１調整回路２４０が入力したＩｃｈ信号成分３０５およびＱｃｈ信号成分３０６を含む信号との差分を検出する。また、誤引き込み判定回路１２０は、フレーム同期回路１１０が入力した誤引き込み判定用信号と、第２調整回路２６０が入力したＩｃｈ信号成分３０９およびＱｃｈ信号成分３１０を含む信号との差分を検出する（ステップＳ１０４）。
【００３４】
そして、誤引き込み判定回路１２０は、いずれかの供試信号について検出した差分が所定の閾値以上である場合に（ステップＳ１０５のＹ）、リセット生成回路１３０に誤引き込み判定結果信号を入力する（ステップＳ１０６）。そして、ステップＳ１０７の処理に移行する。誤引き込み判定回路１２０は、検出した差分が所定の閾値以上でない場合に（ステップＳ１０５のＮ）、処理を終了する。なお、誤引き込み判定回路１２０には、信号の入力元である第１調整回路２４０や第２調整回路２６０毎に予め所定の閾値が設定されていてもよい。
【００３５】
リセット信号生成回路１３０は、ステップＳ１０２の処理でフレーム同期回路１１０によってフレーム非同期信号が入力された場合、またはステップＳ１０６の処理で誤引き込み判定回路１２０によって誤引き込み判定結果信号が入力された場合に、ステップＳ１０７の処理で、以下の処理を行う。すなわち、リセット信号生成回路１３０は、第１調整回路２４０、搬送波再生回路２５０、第２調整回路２６０、等化器２７０、および誤引き込み判定回路１２０に、リセット信号を入力する（ステップＳ１０７）。リセット信号が入力された第１調整回路２４０、搬送波再生回路２５０、第２調整回路２６０、および等化器２７０は、設定をリセットする。
【００３６】
誤引き込み判定回路１２０は、ステップＳ１０７の処理でリセット信号を入力された場合に、所定の時間前からリセット信号を入力された回数が所定の回数以上であったときに（ステップＳ１０８のＹ）、機器故障信号を出力する（ステップＳ１０９）。機器故障信号は、例えば、復調回路２００に異常が生じていることを示す信号である。ステップＳ１０９の処理で出力された機器故障信号は、例えば、復調回路２００等の管理用端末（図示せず）に入力される。そして、管理用端末は、機器故障信号を入力された場合に、例えば、当該管理用端末に接続された表示手段（図示せず）に、復調回路２００等が故障している可能性がある旨を表示して、管理者に故障対応を促す。
【００３７】
本実施形態によれば、誤引き込み判定回路１２０が、供試信号および誤引き込み判定用信号の差分と、供試信号の入力元毎に予め設定された所定の閾値とを比較して誤引き込みが行われたか否かを判定する。したがって、想定外の事象が起こって入力信号をマッピングした位置が所定の領域外であっても、誤引き込みが行われたか否かを判定することができる。また、供試信号と誤引き込み判定用信号との差分が、過去に誤引き込みと判定された値でない場合であっても、誤引き込みが行われたと判定することができる。よって、誤引き込みが行われたか否かを十分に精度よく判定することができる。
【００３８】
そして、精度よい判定結果にもとづいて、リセット信号生成回路１３０が、復調回路２００の第１調整回路２４０、搬送波再生回路２５０、第２調整回路２６０、および等化器２７０にリセット信号を入力してリセットさせる。したがって、復調回路２００の第１調整回路２４０、搬送波再生回路２５０、第２調整回路２６０、および等化器２７０が適切な機会にのみリセットされ、それらがリセットされる回数を減少させることができる。よって、復調回路２００の運用時間において、入力された信号の引き込みに要する時間を削減することができる。
【００３９】
また、誤引き込み判定回路１２０は、各供試信号と誤引き込み判定用信号との差分、および供試信号の入力元毎に予め設定された所定の閾値に基づいて、誤引き込みが行われたか否かを判定する。したがって、各供試信号の入力元に応じて適切な閾値をそれぞれ設定して、誤引き込みが行われたか否かを判定することができる。よって、誤引き込みが行われたか否かを十分に精度よく判定することができる。
【００４０】
一般的な受信回路では、例えば、送信回路でＱＰＳＫ変調された信号が、送信回路および受信回路のうち少なくともいずれか一方の不調によって基準信号に対して位相が±π／４程度ずれているときに、誤引き込みが生じて復調される場合がある。そうすると、復調回路の動作が不安定になる等の問題が生じる。したがって、誤引き込みが生じたか否かの判定は、精度よく行われることが好ましい。そして、誤引き込みが生じたか否かの判定に要する時間は、無線通信の同期特性における引き込みに要する時間に大きな影響を与える。本例のように、少なくとも、誤引き込み判定用信号との差分を検出するための区間ＡがＱＰＳＫ変調されている場合には、当該区間Ａを用いた同期の判定には４つの信号点が用いられる。そうすると、より信号点が多い多値の変調方式で変調された場合よりも、送信に、より時間を要しても、精度が高い判定方法を用いることができる。したがって、本例によれば、誤引き込みが行ったか否かを十分に精度よく判定することができる。よって、適切なタイミングのみに復調回路２００をリセットすることができる。したがって、復調回路２００の運用時間において、リセットや再起動に要する時間を減少させることができる。
【００４１】
実施形態２．
本発明の第２の実施形態の同期判定システム１０について、図面を参照して説明する。図１１は、本発明の第２の実施形態の同期判定システム１０の構成例を示すブロック図である。図１１に示すように、本発明の第２の実施形態の同期判定システム１０は、復調回路２０に接続され、同期判定部１１、位相差検出部１２、およびリセット部１３を備える。
【００４２】
同期判定部１１は、図１に示す本発明の第１の実施形態におけるフレーム同期回路１１０に相当する。位相差検出部１２は、図１に示す本発明の第１の実施形態における誤引き込み判定回路１２０に相当する。リセット部１３は、図１に示す本発明の第１の実施形態におけるリセット信号生成回路１３０に相当する。また、復調回路２０は、図１に示す復調回路２００に相当する。
【００４３】
同期判定部１１は、入力信号が復調回路２０によって復調された復調信号と基準信号とが同期しているか否かを判定する。
【００４４】
位相差検出部１２は、同期判定部１１が、復調信号と基準信号とが同期していると判定した場合に、入力信号に基づく供試信号と基準信号との位相差を検出する。
【００４５】
リセット部１３は、位相差検出部１２が検出した位相差に基づいて、復調回路２０にリセット信号を入力してリセットさせる。
【００４６】
本実施形態によれば、十分に精度よく誤引き込みを行ったか否かを判定することができる。
【符号の説明】
【００４７】
１００    判定システム
１１０    フレーム同期回路
１２０    誤引き込み判定回路
１３０    リセット信号生成回路
２００    復調回路
２１０    直交復調器
２２０    発振器
２３０    Ａ−Ｄ変換器
２４０    第１調整回路
２５０    搬送波再生回路
２６０    第２調整回路
２７０    等化器
３０１、３０３、３０５、３０７、３０９、３１１    Ｉｃｈ信号
３０２、３０４、３０６、３０８、３１０、３１２    Ｑｃｈ信号
【図１】
2016149603.tif 000003
【図２】
2016149603.tif 000004
【図３】
2016149603.tif 000005
【図４】
2016149603.tif 000006
【図５】
2016149603.tif 000007
【図６】
2016149603.tif 000008
【図７】
2016149603.tif 000009
【図８】
2016149603.tif 000010
【図９】
2016149603.tif 000011
【図１０】
2016149603.tif 000012
【図１１】
2016149603.tif 000013